(57)【要約】    【課題】      新規プロトコルを用いることなく、各通信端末装置の端末種別及び利用可能なサービス種別を通信中継装置が一括して管理すること。    【解決手段】  通信端末装置は、ＤＨＣＰメッセージのオプションフィールド内に、当該通信端末装置の端末種別情報及び利用可能なサービス種別情報を設定して、このＤＨＣＰメッセージを通信中継装置へ通知する。通信中継装置は、ＤＨＣＰメッセージを受信し、通信端末装置から通知された端末種別情報を用いて通信端末装置へのＩＰアドレスリース期間を設定すると共に、サービス種別情報を用いて通信端末装置に対するワイドエリアネットワーク側のＩＰアドレスとポート番号とをマッピングして割り当てる。通信端末装置は、ワイドエリアネットワーク側のＩＰアドレス、ポート番号及びＩＰアドレスリース期間を設定したＤＨＣＰメッセージを通信中継装置から受信する。  【選択図】      図１
2007068034.tif 000002
【特許請求の範囲】
【請求項１】
通信端末装置が、ＤＨＣＰメッセージのオプションフィールド内に、当該通信端末装置の端末種別情報及び利用可能なサービス種別情報を設定して、このＤＨＣＰメッセージを通信中継装置へ通知するステップと、
前記通信中継装置が、前記ＤＨＣＰメッセージを受信し、前記通信端末装置から通知された端末種別情報を用いて当該通信端末装置へのＩＰアドレスリース期間を設定すると共に、前記サービス種別情報を用いて前記通信端末装置に対するワイドエリアネットワーク側のＩＰアドレスとポート番号とをマッピングして割り当てるステップと、
前記通信端末装置が、前記ワイドエリアネットワーク側のＩＰアドレス、ポート番号及びＩＰアドレスリース期間を設定したＤＨＣＰメッセージを前記通信中継装置から受信するステップと、
を具備するパケット通信方法。
【請求項２】
前記端末種別情報を、ＤＨＣＰ＿ＲＥＱＵＥＳＴメッセージのオプションフィールドに設定して前記通信中継装置に送信するステップを更に具備し、
前記通信中継装置は、受信した前記通信端末装置の端末種別情報に基づき、前記通信端末装置へのＩＰアドレスのリース期間を動的に決定する請求項１記載のパケット通信方法。
【請求項３】
前記端末種別情報は、前記通信端末装置が移動可能な装置であるか否かを示す情報である請求項１又は２記載のパケット通信方法。
【請求項４】
通信端末装置の端末種別情報を格納する第１情報格納手段と、
ＤＨＣＰメッセージのオプションフィールド内に、前記第１情報格納手段から得た前記端末種別情報を設定するＤＨＣＰ処理手段と、
を具備する通信端末装置。
【請求項５】
前記端末種別情報を、ＤＨＣＰ＿ＲＥＱＵＥＳＴメッセージのオプションフィールド内に設定するように構成した請求項４記載の通信端末装置。
【請求項６】
前記通信端末装置の利用可能なサービス種別情報を格納する第２情報格納手段を具備し、前記ＤＨＣＰ処理手段は、前記ＤＨＣＰメッセージのオプションフィールド内に、前記第２情報格納手段から得た前記利用可能なサービス種別情報を設定する請求項４又は５記載の通信端末装置。
【請求項７】
通信端末装置の端末種別情報及び利用可能なサービス種別情報をＤＨＣＰメッセージのオプションフィールド内に設定したＤＨＣＰメッセージを前記通信端末装置から受信し処理するＤＨＣＰ処理手段と、
受信した前記通信端末装置のサービス種別情報に基づき、前記通信端末装置に対するワイドエリアネットワーク側のＩＰアドレス、ポート番号をマッピングするアドレスポートマッピング処理手段と、
前記アドレスポートマッピング処理手段からのマッピング情報に基づき、ネットワークアドレスポート変換を行うネットワークアドレスポート変換処理手段と、
受信した前記通信端末装置の端末種別情報に基づき、前記通信端末装置のＩＰアドレスリース期間を設定する端末管理処理手段とからなり、
前記ＤＨＣＰ処理手段は、ＤＨＣＰメッセージのオプションフィールド内に、前記ワイドエリアネットワーク側のＩＰアドレス、ポート番号及びＩＰアドレスリース期間を設定し、このＤＨＣＰメッセージを前記通信端末装置に対して送信する通信中継装置。
【発明の詳細な説明】
【技術分野】
【０００１】
本発明は、通信端末装置、通信中継装置及びパケット通信方法に関し、特に、各通信端末に対して最適なＩＰアドレスリース期間を設定することが出来るパケット通信方法、及び、複数のサービスを利用することが可能な通信端末装置に対して、複数サービス毎のアドレスポート変換が可能な通信中継装置とこの通信中継装置に接続可能な通信端末装置に関する。
【背景技術】
【０００２】
図４は、従来のネットワーク構成を示す図である。図４において、通信中継装置４００、通信端末装置４１０〜４１２により、ローカルエリアネットワーク４２０を構成し、通信中継装置４００がワイドエリアネットワーク（ＷＡＮ）４３０と接続するように構成している。
【０００３】
通信中継装置４００は、ローカルエリアネットワーク４２０のゲートウェイとして機能し、ローカルエリアネットワーク４２０内の通信端末装置に対するＤＨＣＰ(Dynamic Host Configuration Protocol)サーバー機能、及びワイドエリアネットワーク４３０との接続を実現するためのネットワークアドレスポート変換(Network Address Port Translation：ＮＡＰＴ)機能を持つ。
【０００４】
通信端末装置４１０は、移動性が有り、電源供給は内蔵電池により行う通信端末装置である。通信端末装置４１１は、移動性が無く、電源供給はコンセント接続により行う通信端末装置である。又、通信端末装置４１２は、移動性が無く、電源供給は内蔵電池により行う通信端末装置である。ここで、移動性とは、通信端末装置がローカルエリアネットワーク４２０の圏外へ移動して出て行く可能性を意味するものとする。
【０００５】
図５は、各装置の詳細な構成を示すブロック図である。通信中継装置４００は、ワイドエリアネットワーク側への送信部５０１、ワイドエリアネットワーク用の受信部５０２、ローカルエリアネットワーク４２０内の通信端末装置への送信部５０７、ローカルエリアネットワーク用の受信部５０６、ネットワークアドレスポート変換処理部５０３、アドレスポートマッピング処理部５０４、ＤＨＣＰ処理部５０５を具備する。
【０００６】
ネットワークアドレスポート変換処理部５０３は、アドレスポートマッピング処理部５０４から通知されるＩＰ電話サービス用のＩＰアドレス、ポート番号マッピング情報を基に、ネットワークアドレスポート変換処理を実施する。
【０００７】
アドレスポートマッピング処理部５０４は、ＩＰ電話サービス用のＩＰアドレス、ポート番号マッピング情報を生成し、ネットワークアドレスポート変換処理部５０３とＤＨＣＰ処理部５０５へ通知する。
【０００８】
ＤＨＣＰ処理部５０５は、ＤＨＣＰサーバー機能を有し、通信端末装置からのDHCP_DISCOVERメッセージ内の識別子（MAC ID、ベンダークラス）が有効であれば、アドレスポートマッピング処理部５０４に対してＩＰ電話サービス用のＩＰアドレス、ポート番号マッピング情報生成を要求し、アドレスポートマッピング処理部５０４から通知されるＩＰ電話サービス用のＩＰアドレス、ポート番号マッピング情報を、DHCP_OFFERメッセージに設定する。
【０００９】
また、通信端末装置４１０〜４１２は、それぞれ通信中継装置４００への送信部５１１、通信中継装置４００用の受信部５１２、ＤＨＣＰ処理部５１３、アプリ制御処理部５１４を具備する。
【００１０】
ＤＨＣＰ処理部５１３は、ＤＨＣＰクライアント機能を有し、通信中継装置４００へのDHCP_DISCOVERメッセージに識別子(MAC ID、ベンダークラス)を設定して通信中継装置４００に通知すると共に、通信中継装置４００から受信したDHCP_OFFERメッセージ内のＩＰ電話サービス用のＩＰアドレス、ポート番号マッピング情報をアプリ制御処理部５１４へ通知する。
【００１１】
アプリ制御処理部５１４は、ＩＰ電話サービス時のネットワークアドレス変換(Network Address Translation：ＮＡＴ）越えを実現するために、ＩＰ電話サービス用パケットに対してＩＰアドレス、ポート番号設定を行う。
【００１２】
図６は、上記した通信端末装置と通信中継装置との通信手順の一例を示している。なお、ここでは、通信端末装置４１０を接続する場合を例にして説明するが、他の通信端末装置４１１、４１２を接続する場合においても同様の手順を行う。
【００１３】
まず、通信端末装置４１０は、通信中継装置４００に対してDHCP_DISCOVERメッセージを送信する（ＳＴ６０１）。このDHCP_DISCOVERメッセージには、識別子（MAC ID、ベンダークラス）が含まれている。通信中継装置４００が、通信端末装置４１０からのDHCP_DISCOVERメッセージを受信すると、DHCP_DISCOVERメッセージ内に含まれる識別子が有効であるかどうかを確認し、有効であると判断すると、ＩＰ電話サービス用のＮＡＰＴを実現させるために、通信端末装置４１０のＩＰ電話サービス用にワイドエリアネットワーク４３０側のポート番号を割り当てる（ＳＴ６０２）。そして、通信中継装置４００は、割り当てたポート番号をDHCP_OFFERメッセージ内に設定して、通信端末装置４１０へ割り当てたポート番号を通知する（ＳＴ６０３）。その後、通信端末装置４１０は、DHCP_REQUESTメッセージを通信中継装置４００に対して送信する（ＳＴ６０４）。通信中継装置４００が、通信端末装置４１０からDHCP_REQUESTメッセージを受信すると、予め設定されている全端末共通のリース期間Ｔ１を設定し（ＳＴ６０５）、DHCP_ACKメッセージにて通信端末装置４１０へ通知する（ＳＴ６０６）。通信中継装置４００は、DHCP_ACKメッセージ送信後に、通信端末装置４１０に対するＩＰ電話サービス用のＮＡＰＴ用ポート番号を保持、設定する（ＳＴ６０７）。また、通信端末装置４１０は、通信中継装置４００からのDHCP_ACKメッセージを受信した後に、ＩＰ電話サービス用のＮＡＰＴ用ポート番号を保持、設定する（ＳＴ６０８）。なお、ＤＨＣＰ処理における通信端末装置４１０へのプライベートＩＰアドレスの割り当ては、通常通りに行われるものとする。
【００１４】
これにより、通信端末装置４１０のＩＰ電話サービス用のＮＡＴ越えが実現でき、通信端末装置４１０は、ワイドエリアネットワーク４３０内の他端末との間で、ＩＰ電話通話を行うことができる。また、通信端末装置４１０が、途中でローカルエリアネットワーク４２０の圏外へ移動した場合、通信中継装置４００は、通信端末装置４１０が圏外へ移動したことを認識せずに、リース期間Ｔ１が満了するまで、通信端末装置４１０へ割り当てたプライベートＩＰアドレスを解放しない。なお、ネットワークアドレスポート変換を行うものとしては、特許文献１が知られている。
【特許文献１】特表２００４−５３３１５９号公報
【発明の開示】
【発明が解決しようとする課題】
【００１５】
しかしながら、上記した従来の装置においては、通信端末装置４１０から通信中継装置４００へ、端末種別情報や利用可能なサービス種別情報を通知するための手段がないという問題がある。従って、通信端末装置４１０が、移動性がある場合やＩＰ電話サービス以外に複数のサービスを利用できる場合であっても、通信中継装置４００が、通信端末装置４１０の移動性や利用可能な複数のサービスを認識し、又、各通信端末装置の端末種別や利用可能な複数サービスに関する一括管理を行うことができないという問題がある。
【００１６】
具体的には、例えば、パーソナルエリアネットワーク（ＰＡＮ）を構成する等によりＩＰ電話サービス以外の複数のサービスを利用することが可能な通信端末装置に対して、複数サービスへのＮＡＰＴができないという問題がある。また、各通信端末に対して最適なＩＰアドレスリース期間設定もできないため、ＩＰアドレス割り当てや無線リソースの利用の効率化が図れないという問題もある。
【００１７】
本発明は、かかる点に鑑みてなされたものであり、新規プロトコルを用いることなく、各通信端末装置の端末種別及び利用可能なサービス種別を通信中継装置が一括して管理することができる通信端末装置、通信中継装置及びパケット通信方法を提供することを目的とする。
【課題を解決するための手段】
【００１８】
本発明のパケット通信方法は、通信端末装置が、ＤＨＣＰメッセージのオプションフィールド内に、当該通信端末装置の端末種別情報及び利用可能なサービス種別情報を設定して、このＤＨＣＰメッセージを通信中継装置へ通知するステップと、前記通信中継装置が、前記ＤＨＣＰメッセージを受信し、前記通信端末装置から通知された端末種別情報を用いて当該通信端末装置へのＩＰアドレスリース期間を設定すると共に、前記サービス種別情報を用いて前記通信端末装置に対するワイドエリアネットワーク側のＩＰアドレスとポート番号とをマッピングして割り当てるステップと、前記通信端末装置が、前記ワイドエリアネットワーク側のＩＰアドレス、ポート番号及びＩＰアドレスリース期間を設定したＤＨＣＰメッセージを前記通信中継装置から受信するステップと、を具備するようにした。
【００１９】
本発明の通信端末装置は、通信端末装置の端末種別情報を格納する第１情報格納手段と、ＤＨＣＰメッセージのオプションフィールド内に、前記第１情報格納手段から得た前記端末種別情報を設定するＤＨＣＰ処理手段と、を具備する構成を採る。
【００２０】
本発明の通信中継装置は、通信端末装置の端末種別情報及び利用可能なサービス種別情報をＤＨＣＰメッセージのオプションフィールド内に設定したＤＨＣＰメッセージを前記通信端末装置から受信し処理するＤＨＣＰ処理手段と、受信した前記通信端末装置のサービス種別情報に基づき、前記通信端末装置に対するワイドエリアネットワーク側のＩＰアドレス、ポート番号をマッピングするアドレスポートマッピング処理手段と、前記アドレスポートマッピング処理手段からのマッピング情報に基づき、ネットワークアドレスポート変換を行うネットワークアドレスポート変換処理手段と、受信した前記通信端末装置の端末種別情報に基づき、前記通信端末装置のＩＰアドレスリース期間を設定する端末管理処理手段とからなり、前記ＤＨＣＰ処理手段は、ＤＨＣＰメッセージのオプションフィールド内に、前記ワイドエリアネットワーク側のＩＰアドレス、ポート番号及びＩＰアドレスリース期間を設定し、このＤＨＣＰメッセージを前記通信端末装置に対して送信する構成を採る。
【発明の効果】
【００２１】
本発明によれば、新規プロトコルを用いることなく、各通信端末装置の端末種別及び利用可能なサービス種別を通信中継装置が一括して管理することができる。
【発明を実施するための最良の形態】
【００２２】
以下に、本発明の実施の形態について、図面を参照して詳細に説明する。
【００２３】
（実施の形態）
図１は、本発明の実施の形態に係る通信端末装置、通信中継装置の構成を示すブロック図である。なお、システムの構成は、従来と同様に構成され、通信中継装置１００、通信端末装置１１０と図示しない通信端末装置は、ローカルエリアネットワークを構成し、通信中継装置１００がワイドエリアネットワーク４３０と接続するように構成している。又、図１において、図５と同一構成の部分については同一の符号を付して、その説明を省略する。
【００２４】
通信中継装置１００は、ワイドエリアネットワーク側への送信部５０１、ワイドエリアネットワーク用の受信部５０２、ローカルエリアネットワーク内の通信端末装置への送信部５０７、ローカルエリアネットワーク用の受信部５０６、ネットワークアドレスポート変換処理部１０３、アドレスポートマッピング処理部１０４、ＤＨＣＰ処理部１０５、端末管理処理部１０６を具備する。
【００２５】
ネットワークアドレスポート変換処理部１０３は、アドレスポートマッピング処理部１０４から通知される各通信端末装置が利用可能な全サービス用のＩＰアドレス、ポート番号マッピング情報をもとに、ＮＡＰＴを実施する。
【００２６】
アドレスポートマッピング処理部１０４は、ＤＨＣＰ処理部１０５から通信端末装置のサービス種別情報が通知されると、当該通信端末装置が利用可能な全サービス用のＩＰアドレス、ポート番号マッピング情報を生成し、ネットワークアドレスポート変換処理部１０３とＤＨＣＰ処理部１０５へ通知する。また、アドレスポートマッピング処理部１０４は、端末管理処理部１０６から通信端末装置のＩＰアドレスリース期間満了通知を受けると、当該通信端末装置へ割り当てていたポート番号を解放する。
【００２７】
ＤＨＣＰ処理部１０５は、ＤＨＣＰサーバー機能を有し、通信端末装置からのDHCP_DISCOVERメッセージまたはDHCP_REQUESTメッセージのオプションフィールド内に含まれる端末種別情報を端末管理処理部１０６に通知することで、端末管理処理部１０６に対してＩＰアドレスリース期間決定を要求し、端末管理処理部１０６から通知される通信端末装置へのＩＰアドレスリース期間を、DHCP_ACKメッセージのオプションフィールド内に設定する。
【００２８】
また、ＤＨＣＰ処理部１０５は、通信端末装置からのDHCP_DISCOVERメッセージまたはDHCP_REQUESTメッセージのオプションフィールド内に含まれる通信端末装置のサービス種別情報をアドレスポートマッピング処理部１０４へ通知することで、アドレスポートマッピング処理部１０４に対して通信端末装置が利用可能な全サービス用のＩＰアドレス、ポート番号マッピング情報の生成を要求し、アドレスポートマッピング処理部１０４から通知される通信端末装置が利用可能な全サービス用のＩＰアドレス、ポート番号マッピング情報を、DHCP_OFFERメッセージもしくはDHCP_ACKメッセージのオプションフィールド内に設定する。また、ＤＨＣＰ処理部１０５は、端末管理処理部１０６から通信端末装置のＩＰアドレスリース期間満了が通知されると、当該通信端末装置に割り当てていたＩＰアドレスを解放する。
【００２９】
端末管理処理部１０６は、ＤＨＣＰ処理部１０５から端末種別情報が通知されると、当該通信端末装置に対するＩＰアドレスリース期間を決定し、決定したＩＰアドレスリース期間をＤＨＣＰ処理部１０５に通知して、当該通信端末装置の端末種別情報とリース期間を保持する。また、端末管理処理部１０６は、通信端末装置のＩＰアドレスリース期間満了を検知すると、アドレスポートマッピング処理部１０４に対して、当該通信端末装置に割り当てているポート番号の解放を要求すると共に、ＤＨＣＰ処理部１０５に対して当該通信端末装置に割り当てているＩＰアドレスの解放を要求する。
【００３０】
次に、通信端末装置１１０は、通信中継装置１００への送信部５１１、通信中継装置１００用の受信部５１２、そして、ＤＨＣＰ処理部１１３、アプリ制御処理部１１４、端末種別情報格納部１１５を具備する。
【００３１】
ＤＨＣＰ処理部１１３は、ＤＨＣＰクライアント機能を有し、通信中継装置１００へのDHCP_DISCOVERメッセージもしくはDHCP_REQUESTメッセージを送信する際に、アプリ制御処理部１１４から当該通信端末装置のサービス種別情報を取得すると共に、端末種別情報格納部１１５から端末種別情報を取得する。そして、通信中継装置１００へのDHCP_DISCOVERメッセージもしくはDHCP_REQUESTメッセージのオプションフィールド内に端末種別情報及びサービス種別情報を設定する。また、ＤＨＣＰ処理部１１３は、通信中継装置１００からのDHCP_OFFERメッセージもしくはDHCP_ACKメッセージのオプションフィールド内に設定されている利用可能な全サービス用のＩＰアドレス、ポート番号マッピング情報をアプリ制御処理部１１４へ通知すると共に、DHCP_ACKメッセージのオプションフィールド内に設定されているＩＰアドレスリース期間を保持する。更に、アプリ制御処理部１１４が、通信中継装置１００に対しサービス種別情報の更新を要求すると、アプリ制御処理部１１４から通知される最新のサービス種別情報を設定したDHCP_REQUESTメッセージを、通信中継装置１００に対して送信する。また、端末種別情報格納部１１５が、通信中継装置１００に対し端末種別情報の更新を要求すると、端末種別情報格納部１１５から通知される最新の端末種別情報を設定したDHCP_REQUESTメッセージを、通信中継装置１００に対して送信する。
【００３２】
アプリ制御処理部１１４は、ＤＨＣＰ処理部１１３からサービス種別情報の取得を要求されると、ＤＨＣＰ処理部１１３に対して保持しているサービス種別情報を通知する（第２情報格納部）。また、アプリ制御処理部１１４は、利用可能な全サービスのネットワークアドレス変換（ＮＡＴ）越えを実現するために、ＤＨＣＰ処理部１１３から通知される通信端末装置１１０が利用可能な全サービス用のＩＰアドレス、ポート番号マッピング情報を用いて、通信端末装置１１０が利用可能なサービス用パケットに対してＩＰアドレス、ポート番号設定を行う。更に、アプリ制御処理部１１４が、通信端末装置１１０のサービス種別情報を更新したいと判断した時、ＤＨＣＰ処理部１１３に対して新たなサービス種別情報を通知することで、通信中継装置１００に対してサービス種別情報の更新を要求する。
【００３３】
端末種別情報格納部１１５は、通信端末装置１１０の端末種別情報を格納し（第１情報格納部）、ＤＨＣＰ処理部１１３から通信端末装置の端末種別情報の取得が要求された時、ＤＨＣＰ処理部１１３に対して、通信端末装置の端末種別情報を通知する。更に、端末種別情報格納部１１５は、通信端末装置の端末種別情報を更新したいと判断した時、ＤＨＣＰ処理部１１３に対して新たな端末種別情報を通知することで、通信中継装置１００に対して端末種別情報の更新を要求する。
【００３４】
図２は、本発明の通信手順の一例を示している。
【００３５】
まず、通信端末装置１１０は、通信中継装置１００に対してDHCP_DISCOVERメッセージを送信する（ＳＴ２０１）。このDHCP_DISCOVERメッセージのオプションフィールド内には、通信端末装置１１０の端末種別情報及びサービス種別情報が含まれる。次に、通信中継装置１００は、通信端末装置１１０からのDHCP_DISCOVERメッセージを受信すると、DHCP_DISCOVERメッセージ内に含まれるサービス種別情報を用いて、通信端末装置１１０が利用可能な全サービス用のＮＡＰＴを実現させるために、通信端末装置１１０の利用可能な全サービス用にワイドエリアネットワーク４３０側のポート番号割り当て候補を決定する（ＳＴ２０２）。
【００３６】
そして、通信中継装置１００は、割り当て候補のポート番号およびワイドエリアネットワーク４３０側のＩＰアドレスを、DHCP_OFFERメッセージのオプションフィールド内に設定し、通信端末装置１１０へ通知する（ＳＴ２０３）。
【００３７】
なお、DHCP_DISCOVERメッセージのオプションフィールド内には、端末種別情報及びサービス種別情報が含まれていなくてもよく、この場合、通信端末装置および通信中継装置におけるDHCP_DISCOVERメッセージとDHCP_OFFERメッセージに関する処理は、通常のＤＨＣＰ処理を行うことになる。
【００３８】
その後、通信端末装置１１０は、DHCP_REQUESTを通信中継装置１００に対して送信する（ＳＴ２０４）。ここで、DHCP_REQUESTのオプションフィールド内には、通信端末装置１１０の端末種別情報及びサービス種別情報が含まれる。これにより、例えば、ローカルエリアネットワーク圏内に在圏中の通信端末装置１１０が、ＤＨＣＰによるＩＰアドレスのリース期間延長を行う時など、DHCP_DISCOVERメッセージ送信から行うのではなく、DHCP_REQUESTメッセージのオプションフィールドを用いることで、最新の端末種別情報およびサービス種別情報を通信中継装置１００に対して通知することができる。
【００３９】
同様に、ローカルエリアネットワーク圏内に在圏中の通信端末装置１１０が、途中で端末種別情報やサービス種別情報を更新したい場合にも、DHCP_REQUESTメッセージのオプションフィールドを用いたDHCP_REQUESTメッセージを送信することで、最新の端末種別情報およびサービス種別情報を通信中継装置１００に対して通知することができる。
【００４０】
通信中継装置１００は、通信端末装置１１０からDHCP_REQUESTメッセージを受信すると、DHCP_DISCOVERメッセージもしくはDHCP_REQUESTメッセージ内に含まれるサービス種別情報を用いて、通信端末装置１１０が利用可能な全サービス用のＮＡＰＴを実現させるために、通信端末装置１１０の利用可能な全サービス用にワイドエリアネットワーク４３０側のポート割り当てを決定する（ＳＴ２０５）。また、DHCP_DISCOVERメッセージもしくはDHCP_REQUESTメッセージ内に含まれる端末種別情報を用いて、通信端末装置１１０に最適なＩＰアドレスリース期間Ｔ１０を決定する（ＳＴ２０６）。
【００４１】
そして、DHCP_ACKメッセージのオプションフィールド内に、通信端末装置１１０のＩＰアドレスリース期間および通信端末装置１１０の利用可能な全サービス用に割り当てたワイドエリアネットワーク４３０側のポート番号を設定し、通信端末装置１１０へDHCP_ACKメッセージを送信する（ＳＴ２０７）。
【００４２】
通信中継装置１００は、DHCP_ACKメッセージを送信すると、通信端末装置１１０に対するＩＰアドレスリース期間Ｔ１０、および、通信端末装置１１０の利用可能な全サービス用に割り当てたワイドエリアネットワーク４３０側のポート番号群を保持、設定する（ＳＴ２０８）。
【００４３】
また、通信端末装置１１０は、通信中継装置１００からのDHCP_ACKメッセージを受信した後に、通信端末装置１１０に対するＩＰアドレスリース期間Ｔ１０及び通信端末装置１１０の利用可能な全サービス用に割り当てたワイドエリアネットワーク４３０側のポート番号群を保持、設定する（ＳＴ２０９）。なお、ＤＨＣＰ処理における通信端末装置１１０へのプライベートＩＰアドレスの割り当ては、通常通りに行われるものとする。
【００４４】
これにより、通信端末装置１１０の利用可能な全サービス用のＮＡＴ越えが実現でき、通信端末装置１１０は、ワイドエリアネットワーク４３０内の他端末装置またはサーバー装置との間での利用可能な全サービスを受けることができる。
【００４５】
また、通信端末装置１１０が、途中でローカルエリアネットワーク圏外へ移動した場合であっても、例えば、移動性を持つ通信端末装置に対して、通信中継装置１００が設定するＩＰアドレスリース期間Ｔ１０は、比較的短期間（Ｔ１よりもＴ１０のほうが短い）に設定されているので、通信中継装置１００は、早期に通信端末装置１１０へ割り当てたプライベートＩＰアドレスを解放する（ＳＴ２１０）。このため、ＩＰアドレスを効率良く割り当てることができる。
【００４６】
ここで、例えば、移動性が無く、電源供給を内蔵電池により行う通信端末装置に対しては、通信中継装置１００は、ＩＰアドレスリース期間を比較的長期間（Ｔ１よりも長期間）に設定するため、この通信端末装置がＩＰアドレスリース期間延長要求を行う頻度を低く抑えることが出来る。このため、無線リソース消費の低減、通信端末装置のバッテリーセービングを図ることができる。
【００４７】
図３は、本発明のＤＨＣＰフィールドの一例を示した図である。図３（Ａ）に示すように、ＤＨＣＰメッセージには、オプションフィールド３００が設けられており、オプションフィールド３００は、タグ、オプションデータのサイズ（単位はoctet）、オプションデータのセットが複数設定される。本発明では、拡張用タグ１２８〜２５４の範囲を用いて、端末種別情報、サービス種別情報、ワイドエリアネットワーク側ＩＰアドレス、ポート番号をオプション情報として追加する。また、ＩＰアドレスのリース期間に関しては、タグ５１を用いればよい。
【００４８】
例えば、図３（Ｂ）のように、通信端末装置１１０から通信中継装置１００へのＤＨＣＰメッセージ（DHCP_DISCOVER、またはDHCP_REQUEST）のオプションフィールド内に、タグ１２８の端末種別情報を設定し、又、タグ１３１からタグ１５０までに利用可能なサービス数分のサービス種別情報を設定する。また、通信中継装置１００から通信端末装置１１０へのＤＨＣＰメッセージ（DHCP_OFFER、またはDHCP_ACK）のオプションフィールド内に、タグ５１のＩＰアドレスリース期間とタグ１６０のワイドエリアネットワーク側ＩＰアドレスを設定し、さらに、通信端末装置１１０が利用可能なサービスの各々に対応したポート番号をタグ１６１からタグ１８０までに設定する。
【００４９】
また、図３（Ｃ）のように、通信端末装置１１０から通信中継装置１００へのＤＨＣＰメッセージ（DHCP_DISCOVER、またはDHCP_REQUEST）のオプションフィールド内に、タグ１２８の端末種別情報を設定し、サイズを可変設定して利用可能なサービス数分のサービス種別情報を、タグ１３１内のオプションデータとして一括設定する。また、通信中継装置１００から通信端末装置１１０へのＤＨＣＰメッセージ（DHCP_OFFER、またはDHCP_ACK）のオプションフィールド内に、タグ５１のＩＰアドレスリース期間とタグ１３２のワイドエリアネットワーク側ＩＰアドレスを設定し、さらに、通信端末装置１１０が利用可能なサービスの各々に対応したポート番号をタグ１３３内のオプションデータとして一括設定する。なお、図３に示したものは、本発明による追加ＤＨＣＰオプションに関する一例を示したものであり、例えば、タグ値やサイズ値等は、図示したように限定されるものではない。
【００５０】
又、端末種別情報とは、各通信端末装置の特性を示す情報であり、例えば、通信端末装置の移動性情報、電源供給情報を含むものである。ここで、移動性情報とは、通信端末装置がローカルエリアネットワーク圏外へ移動して出て行く可能性の有無を示す情報である。また、電源供給情報とは、通信端末装置が内蔵電池により電源を供給されているか、又は、コンセント接続等により外部より電源を供給されているかを示す情報である。
【００５１】
また、サービス種別情報とは、各通信端末装置が利用可能な全てのサービスを示す情報であり、例えば、各通信端末装置が各種サービスを利用する際に通信端末装置内で使用するポート番号群に相当するものである。
【００５２】
このように、本発明によれば、新規プロトコルを用いることなく、各通信端末装置の端末種別及び利用可能なサービス種別を通信中継装置が一括して管理することができる。これにより、例えば、通信中継装置が、通信端末装置毎に、動的にＩＰアドレスリース期間設定ができるため、ＩＰアドレス割り当てを効率的に実施できる。更に、各通信端末装置が利用できる全サービスに対するネットワークアドレス変換（ＮＡＴ）越えの問題も解決することができる。
【産業上の利用可能性】
【００５３】
本発明は、特に、ローカルエリアネットワークの通信端末装置をワイドエリアネットワークに接続可能にした通信システムに好適である。
【図面の簡単な説明】
【００５４】
【図１】本発明の一実施の形態に係わる通信端末装置、通信中継装置の構成を示すブロック図
【図２】上記実施の形態に係わる通信端末装置、通信中継装置のそれぞれの動作を説明するための図
【図３】上記実施の形態に係わる通信端末装置、通信中継装置に用いられるオプションフィールドの構成を示す図
【図４】従来の通信端末装置、通信中継装置を含むシステム構成を示す図
【図５】従来の通信端末装置、通信中継装置の構成を示すブロック図
【図６】従来の通信端末装置、通信中継装置のそれぞれの動作を説明するための図
【符号の説明】
【００５５】
１００  通信中継装置
１０３  ネットワークアドレスポート変換処理部
１０４  アドレスポートマッピング処理部
１０５、１１３  ＤＨＣＰ処理部
１０６  端末管理処理部
１１０  通信端末装置
１１４  アプリ制御処理部
１１５  端末種別情報格納部
４３０  ワイドエリアネットワーク
５０１、５０７、５１１  送信部
５０２、５０６、５１２  受信部
【図１】
2007068034.tif 000003
【図２】
2007068034.tif 000004
【図３】
2007068034.tif 000005
【図４】
2007068034.tif 000006
【図５】
2007068034.tif 000007
【図６】
2007068034.tif 000008